(57)【要約】【課題】太陽エネルギー光学採集システムを提供する。【解決手段】太陽エネルギー光学採集システムは光路中に球面反射鏡１を設置し、該球面反射鏡１上には反射膜をコーティングし、別に該球面反射鏡１の反射光路中に光エネルギー收集器３を設置し構成する。太陽光の光路中に球面反射鏡１或いは非球面反射鏡１’により組成する光エネルギー收集器３を設置し、構成する光学採集システムで、太陽光エネルギーは球面反射鏡１或いは非球面反射鏡１’を通過し、光点を光エネルギー收集器３上に有効に集中させ、光エネルギー收集の機能を実現する。同時に、球面反射鏡１或いは非球面反射鏡１’上には反射膜をコーティングし、該コーティング膜は太陽光中の有用な部分を該光エネルギー收集器へと反射し、無用で有害な部分（紫外線波長４００ナノ以下など）はすべて吸収し、利用可能なエネルギーに転化することができる。【選択図】図1
2009522607.tif 000002
【特許請求の範囲】
【請求項１】
太陽エネルギー光学採集システムであって、光路中には、球面反射鏡を設置し、該球面反射鏡上には、反射膜をコーティングし、該球面反射鏡の反射光路中には、光エネルギー收集器を別に設置して光学システムを構成することを特徴とする、太陽エネルギー光学採集システム。
【請求項２】
前記光学システム最前方には、さらに非球面校正レンズを設置することを特徴とする、請求項１に記載の太陽エネルギー光学採集システム。
【請求項３】
前記非球面校正レンズ上には、透過率増加膜をコーティングすることを特徴とする、請求項２に記載の太陽エネルギー光学採集システム。
【請求項４】
前記光エネルギー收集器は、該球面反射鏡の前方に設置することを特徴とする、請求項１乃至請求項３のいずれか１項に記載の太陽エネルギー光学採集システム。
【請求項５】
前記球面反射鏡前方には、光軸と４５度を呈し設置する平面反射板を設置し、該平面反射板の下方に位置する光路の外には、光エネルギー收集器を設置することを特徴とする、請求項１乃至請求項３のいずれか１項に記載の太陽エネルギー光学採集システム。
【請求項６】
太陽エネルギー光学採集システムであって、光路中には、非球面反射鏡を設置し、該非球面反射鏡上には、反射膜をコーティングし、該非球面反射鏡の反射光路中には、光エネルギー收集器を設置して光学システムを構成することを特徴とする、太陽エネルギー光学採集システム。
【請求項７】
前記光学システム最前方には、さらに非球面校正レンズを設置することを特徴とする、請求項６に記載の太陽エネルギー光学採集システム。
【請求項８】
前記非球面校正レンズ上には、透過率増加膜をコーティングすることを特徴とする、請求項７に記載の太陽エネルギー光学採集システム。
【請求項９】
前記光エネルギー收集器は、該球面反射鏡の前方に設置することを特徴とする、請求項６乃至請求項８のいずれか1項に記載の太陽エネルギー光学採集システム。
【請求項１０】
前記非球面反射鏡前方には、光軸と４５度を呈し設置する平面反射板を設置し、該平面反射板の下方に位置する光路の外には、光エネルギー收集器を設置することを特徴とする、請求項６乃至請求項８のいずれか1項に記載の太陽エネルギー光学採集システム。
【請求項１１】
太陽エネルギー光学採集システムであって、光路中には、２面の反射面が相対する球面反射鏡を設置し、該２個の球面反射鏡上には、反射膜をコーティングし、該小球面反射鏡は該球面反射鏡の前方に位置し、該球面反射鏡の中心には、該小球面反射鏡が反射する光線を通過させる通孔を設置し、該球面反射鏡反射面の後方で該通孔に相対する位置には、光エネルギー收集器を設置し、こうして光学システムを構成することを特徴とする、太陽エネルギー光学採集システム。
【請求項１２】
前記光学システム最前方光路中には、非球面校正レンズを設置することを特徴とする、請求項１１に記載の太陽エネルギー光学採集システム。
【請求項１３】
前記非球面校正レンズ上には、透過率増加膜をコーティングすることを特徴とする、請求項１２に記載の太陽エネルギー光学採集システム。
【請求項１４】
太陽エネルギー光学採集システムであって、光路中には、２面の反射面が相対する非球面反射鏡を設置し、該２個の非球面反射鏡上には、反射膜をコーティングし、該小非球面反射鏡は、該非球面反射鏡光路の前方に位置し、該非球面反射鏡中心には、該小非球面反射鏡が反射する光線を通過させる通孔を設置し、該非球面反射鏡反射面の後方で該通孔に相対する位置には光エネルギー收集器を設置し、こうして光学システムを構成することを特徴とする、太陽エネルギー光学採集システム。
【請求項１５】
前記光学システム最前方光路中には、非球面校正レンズを設置することを特徴とする、請求項１４に記載の太陽エネルギー光学採集システム。
【請求項１６】
前記非球面校正レンズ上には、透過率増加膜をコーティングすることを特徴とする、請求項１５に記載の太陽エネルギー光学採集システム。
【請求項１７】
太陽エネルギー光学採集システムであって、光路中には、２面の反射面が相対する球面及び非球面反射鏡を設置し、該２個の球面及び非球面反射鏡上には、反射膜をコーティングし、該小球面或いは該小非球面反射鏡は、該非球面或いは該球面反射鏡光路の前方に位置し、該非球面或いは該球面反射鏡中心には、該小球面或いは該小非球面反射鏡が反射する光線を通過させる通孔を設置し、該非球面或いは該球面反射鏡反射面の後方で該通孔に相対する位置には光エネルギー收集器を設置し、こうして光学システムを構成することを特徴とする、太陽エネルギー光学採集システム。
【請求項１８】
前記光学システム最前方光路中には、非球面校正レンズを設置することを特徴とする、請求項１７に記載の太陽エネルギー光学採集システム。
【請求項１９】
前記非球面校正レンズ上には、透過率増加膜をコーティングすることを特徴とする、請求項１８に記載の太陽エネルギー光学採集システム。
【発明の詳細な説明】
【技術分野】
【０００１】
本発明は、太陽エネルギー光学採集システムに関する。
【背景技術】
【０００２】
目下、エネルギーの欠乏は世界的な問題となっている。専門家の推算では、現在のエネルギー需要が続けば、地球上に現存する石炭、天然ガス等のエネルギーは５０年前後で枯渇するという。そのため、太陽エネルギー等の地球外エネルギーを開発し、有効利用することにより、エネルギーをコントロールすることは、業界関係者及び専門家にとって喫緊の課題である。
【発明の開示】
【発明が解決しようとする課題】
【０００３】
本発明が解決しようとする課題は、光学システムを利用し太陽エネルギーに対して採集を行う太陽エネルギー光学採集システムを提供することである。
【課題を解決するための手段】
【０００４】
上記課題を解決するために、本発明は下記の太陽エネルギー光学採集システムを提供する。即ち、請求項１の発明は、太陽エネルギー光学採集システムは光路中に球面反射鏡を設置し、該球面反射鏡上には反射膜をコーティングし、別に該球面反射鏡の反射光路中に光エネルギー收集器を設置し構成する光学システムである。
【０００５】
請求項２の発明は、請求項１の発明において、該光学システム最前方にはさらに非球面校正レンズを設置することを特徴とするものである。
【０００６】
請求項３の発明は、請求項２の発明において、該非球面校正レンズ上には透過率増加膜をコーティングすることを特徴とするものである。
【０００７】
請求項４の発明は、請求項１乃至請求項３の発明のいずれか１項において、該光エネルギー收集器は該球面反射鏡の前方に設置することを特徴とするものである。
【０００８】
請求項５の発明は、請求項１乃至請求項３の発明のいずれか１項において、該球面反射鏡前方には光軸と４５度を呈し設置する平面反射板を設置し、該平面反射板の下方に位置する光路の外には光エネルギー收集器を設置することを特徴とするものである。
【０００９】
請求項６の発明は、別種の太陽エネルギー光学採集システムは光路中に非球面反射鏡を設置し、該非球面反射鏡上には反射膜をコーティングし、該非球面反射鏡の反射光路中には光エネルギー收集器を設置し構成する光学システムである。
【００１０】
請求項７の発明は、請求項６の発明において、該光学システム最前方にはさらに非球面校正レンズを設置することを特徴とするものである。
【００１１】
請求項８の発明は、請求項７の発明において、該非球面校正レンズ上には透過率増加膜をコーティングすることを特徴とするものである。
【００１２】
請求項９の発明は、請求項６乃至請求項８の発明のいずれか１項において、該光エネルギー收集器は該球面反射鏡の前方に設置することを特徴とするものである。
【００１３】
請求項１０の発明は、請求項６乃至請求項８の発明のいずれか１項において、該非球面反射鏡前方には光軸と４５度を呈し設置する平面反射板を設置し、該平面反射板の下方に位置する光路の外には光エネルギー收集器を設置することを特徴とするものである。
【００１４】
請求項１１の発明は、別種の太陽エネルギー光学採集システムは光路中に２面の反射面が相対する球面反射鏡を設置し、該２個の球面反射鏡上には反射膜をコーティングし、該小球面反射鏡は該球面反射鏡の前方に位置し、該球面反射鏡の中心には該小球面反射鏡が反射する光線を通過させる通孔を設置し、該球面反射鏡反射面の後方で該通孔に相対する位置には光エネルギー收集器を設置し、こうして光学システムを構成することを特徴とするものである。
【００１５】
請求項１２の発明は、請求項１１の発明において、該光学システム最前方光路中には非球面校正レンズを設置することを特徴とするものである。
【００１６】
請求項１３の発明は、請求項１２の発明において、該非球面校正レンズ上には透過率増加膜をコーティングすることを特徴とするものである。
【００１７】
請求項１４の発明は、別種の太陽エネルギー光学採集システムは光路中に２面の反射面が相対する非球面反射鏡を設置し、該２個の非球面反射鏡上には反射膜をコーティングし、該小非球面反射鏡は該非球面反射鏡光路の前方に位置し、該非球面反射鏡中心には該小非球面反射鏡が反射する光線を通過させる通孔を設置し、該非球面反射鏡反射面の後方で該通孔に相対する位置には光エネルギー收集器を設置し、こうして光学システムを構成することを特徴とするものである。
【００１８】
請求項１５の発明は、請求項１４の発明において、該光学システム最前方光路中には非球面校正レンズを設置することを特徴とするものである。
【００１９】
請求項１６の発明は、請求項１５の発明において、該非球面校正レンズ上には透過率増加膜をコーティングすることを特徴とするものである。
【００２０】
請求項１７の発明は、別種の太陽エネルギー光学採集システムは光路中に２面の反射面が相対する球面及び非球面反射鏡を設置し、該２個の球面及び非球面反射鏡上には反射膜をコーティングし、該小球面或いは該小非球面反射鏡は該非球面或いは該球面反射鏡光路の前方に位置し、該非球面或いは該球面反射鏡中心には該小球面或いは該小非球面反射鏡が反射する光線を通過させる通孔を設置し、該非球面或いは該球面反射鏡反射面の後方で該通孔に相対する位置には光エネルギー收集器を設置し、こうして光学システムを構成することを特徴とするものである。
【００２１】
請求項１８の発明は、請求項１７の発明において、該光学システム最前方光路中には非球面校正レンズを設置することを特徴とするものである。
【００２２】
請求項１９の発明は、請求項１８の発明において、該非球面校正レンズ上には透過率増加膜をコーティングすることを特徴とするものである。
【発明の効果】
【００２３】
上記のように、本発明は太陽光の光路中に球面或いは非球面反射鏡により組成する光エネルギー收集器を設置し、光学採集システムを構成し、太陽光エネルギーは球面或いは非球面反射鏡を通過し、光点を光エネルギー收集器上に有効に集中させ、光エネルギー收集の機能を実現することができる。同時に、球面或いは非球面反射鏡上には反射膜をコーティングし、コーティング膜は太陽光中の有用な部分を該光エネルギー收集器へと反射し、無用で有害な部分（紫外線波長４００ナノ以下など）はすべて吸収してしまい、利用可能なエネルギーに転化することができる。
【発明を実施するための最良の形態】
【００２４】
具体的実施例を記載する前に、光学設計中のパラメーター概念について説明する。
【００２５】
＜アベレーション＞光学システム中においてレンズ材料の特性或いは屈折（或いは反射）により、表面の幾何形状が引き起こす実際の像と理想像との偏差。理想像とは理想光学システムが結像する像。実際の光学システムでは、一定の大きさの結像空間及び光ビーム孔径が必要である。同時に、結像光ビームの多くは異なる波長の光により組成するため、同一媒介の屈折率は波長によって異なる。よって、実際の光学システムの結像は一系列の欠陥を備える。これこそがアベレーションである。アベレーションの大きさは光学システム品質の優劣に影響を及ぼす。
【００２６】
＜球差＞軸上点から発する同心光ビームは、光学システムの各屈折面を経て屈折後、異なる孔径角の光線の交光軸は異なる点上にあり、理想像点の位置に相対し異なる偏離を備える。これが球面アベレーションで、球差と略称する。その値は、軸上点から発する異なる孔径角の光線がシステムを経た後の像方切片及びその近軸光の像方切片の差により表示される。球差が小さければ、エネルギーの均等度も高くなり、１個のチップ上に光点が均等に分布していれば、エネルギーの收集に有利であり。
【００２７】
＜色差＞光学システムの多くは白色光結像である。白色光は各種異なる波長（色）の単色光により組成される。光学材料は異なる波長の色に対して光屈折率が異なり、白色光は光学システム第一表面で屈折後、各種色光が分割され、光学システム内において各自の光路により伝播し、各色光の間の結像位置及び大きさの差異となり、像面上に彩色の分散円を形成する。複色光の結像時に、異なる色光が引き起こすアベレーションを色差と呼ぶ。色差が小さければ、エネルギー收集により有利である。
【００２８】
＜点列図＞光学設計は光学システムのアベレーションを校正する必要があるが、アベレーション校正を完全に理想的な程度まで行う必要はない。よって、アベレーションの最適校正方案を選択する必要がある。またどのような程度まで校正すれば使用の要求を満たすことができるかを確定し、アベレーション許容を確定する。一点から発射される多くの光線が光学システムを経た後、アベレーションにより、それと像面の交点は同一点には集中せず、一定範囲に分散する分散図形を形成し、これを点列図と呼ぶ。点列図中点の密集程度を用い、システム結像品質の優劣を評価することができる。点の集中性が高く、密度が高い時、エネルギー集中効果はより良くなる。
【実施例１】
【００２９】
図１乃至図３に示すように、本発明の太陽エネルギー光学採集構造は主に、球面反射鏡１（或いは非球面反射鏡１’）及び光エネルギー收集器３を含む。該球面反射鏡１（或いは非球面反射鏡１’）上には反射膜をコーティングし、該膜は太陽光中の有用な部分を該光エネルギー收集器３へと反射し、無用で有害な部分（紫外線波長４００ナノ以下など）はすべて吸収してしまう。該球面反射鏡１（或いは非球面反射鏡１’）は太陽光光路中に設置し、該光エネルギー收集器３は該球面反射鏡１（或いは非球面反射鏡１’）の前方の光軸上に設置し、こうして光学システムを構成する。
【００３０】
このような構造の光学システムが形成する色差は０で、最大球差は２．４６である。図２には色差と球差が形成する曲線図を示し、図３にはこの光学システムが形成する点列図を示す。
【実施例２】
【００３１】
図４乃至図６に示すように、太陽エネルギー光学採集構造は主に、球面反射鏡１、光エネルギー收集器３及び非球面校正レンズ４を含む。該球面反射鏡１上には反射膜をコーティングし、該球面反射鏡１は太陽光光路中に設置し、該光エネルギー收集器３は該球面反射鏡１の前方の光軸上に設置し、こうして光学システムを構成する。光学システム最前方にはさらに非球面校正レンズ４を設置し、該非球面校正レンズ４上には透過率増加膜をコーティングする。
【００３２】
このような構造の光学システムが形成する色差は０．０２３で、最大球差は１である。図５には色差と球差が形成する曲線図を示し、図６にはこの光学システムが形成する点列図を示す。
【実施例３】
【００３３】
図７乃至図９に示すように、太陽エネルギー光学採集構造は主に、非球面反射鏡１’、光エネルギー收集器３及び非球面校正レンズ４を含む。該非球面反射鏡１’上には反射膜をコーティングし、該非球面反射鏡１’は太陽光光路中に設置し、該光エネルギー收集器３は該非球面反射鏡１’の前方の光軸上に設置する。こうして光学システムを構成する。光学システム最前方にはさらに非球面校正レンズ４を設置し、該非球面校正レンズ４上には透過率増加膜をコーティングする。
【００３４】
このような構造の光学システムが形成する色差は−０．０４８で、最大球差は０．０２６である。図８には色差と球差が形成する曲線図を示し、図９にはこの光学システムが形成する点列図を示す。
【実施例４】
【００３５】
図１０乃至図１２に示すように、本発明の太陽エネルギー光学採集構造は主に、球面反射鏡１、平面反光板５及び光エネルギー收集器３を含む。該球面反射鏡１及び該平面反光板５上には反射膜をコーティングし、該反射膜は太陽光中の有用な部分を該光エネルギー收集器３へと反射し、無用で有害な部分（紫外線波長４００ナノ以下など）はすべて吸収してしまう。該球面反射鏡１は太陽光光路中に設置し、該平面反光板５と光軸は４５度を呈し、該球面反射鏡１の前方の光軸上に設置し、該光エネルギー收集器３は該平面反光板５下方の光路の外に設置する。
【００３６】
このような構造の光学システムが形成する色差は０で、最大球差は−１．９８である。図１１には色差と球差が形成する曲線図を示し、図１２にはこの光学システムが形成する点列図を示す。
【実施例５】
【００３７】
図１３乃至図１５に示すように、本発明の太陽エネルギー光学採集構造は主に、非球面反射鏡１'、平面反光板５及び光エネルギー收集器３を含む。該非球面反射鏡１’ 及び該平面反光板５上には反射膜をコーティングし、該反射膜は太陽光中の有用な部分を該光エネルギー收集器３へと反射し、無用で有害な部分（紫外線波長４００ナノ以下など）はすべて吸収してしまう。該非球面反射鏡１’は太陽光光路中に設置し、該平面反光板５と光軸は４５度を呈し、該非球面反射鏡１’の前方の光軸上に設置し、該光エネルギー收集器３は該平面反光板５下方の光路の外に設置する。
【００３８】
このような構造の光学システムが形成する色差は０で、最大球差は０．５６７である。図１４には色差と球差が形成する曲線図を示し、図１５にはこの光学システムが形成する点列図を示す。
【実施例６】
【００３９】
図１６乃至図１８に示すように、太陽エネルギー光学採集構造は主に、非球面反射鏡１’、平面反光板５、光エネルギー收集器３及び非球面校正レンズ４を含む。該非球面反射鏡１’及び該平面反光板５上には反射膜をコーティングし、該非球面反射鏡１’は太陽光光路中に設置し、該平面反光板５と光軸は４５度を呈し、該非球面反射鏡１’の前方の光軸上に設置し、該光エネルギー收集器３は該平面反光板５下方の光路の外に設置する。また該平面反光板５の光反射面後方の光路中には該非球面校正レンズ４を設置し、該非球面校正レンズ４上には透過率増加膜をコーティングする。
【００４０】
このような構造の光学システムが形成する色差は０．０３で、最大球差は−０．０７である。図１７には色差と球差が形成する曲線図を示し、図１８にはこの光学システムが形成する点列図を示す。
【実施例７】
【００４１】
図１９乃至図２１に示すように、太陽エネルギー光学採集構造は主に、球面反射鏡１、平面反光板５、光エネルギー收集器３及び非球面校正レンズ４を含む。該球面反射鏡１及び該平面反光板５上には反射膜をコーティングし、該球面反射鏡１は太陽光光路中に設置し、該平面反光板５と光軸は４５度を呈し、該球面反射鏡１の前方の光軸上に設置し、該光エネルギー收集器３は該平面反光板５下方の光路の外に設置する。また該平面反光板５の光反射面後方の光路中には該非球面校正レンズ４を設置し、該非球面校正レンズ４上には透過率増加膜をコーティングする。
【００４２】
このような構造の光学システムが形成する色差は０．０３で、最大球差は−０．１１である。図２０には色差と球差が形成する曲線図を示し、図２１にはこの光学システムが形成する点列図を示す。
【実施例８】
【００４３】
図２２乃至図２４に示すように、本発明の太陽エネルギー光学採集裝置は主に球面反射鏡１、小球面反射鏡２及び光エネルギー收集器３を含む。該球面反射鏡１及び該小球面反射鏡２上にはすべて反射膜をコーティングする。該反射膜は太陽光中の有用な部分を該光エネルギー收集器３へと反射し、無用で有害な部分（紫外線波長４００ナノ以下など）はすべて吸収してしまう。該大、小球面反射鏡１、２は太陽光光路中に設置し、該小球面反射鏡２は該球面反射鏡１の前方に設置する。該球面反射鏡１の中心には該小球面反射鏡２が反射する光線を通過させる通孔１１を設置し、該球面反射鏡１反射面の後方で該通孔１１に相対する位置には該光エネルギー收集器３を設置する。こうして光学システムを構成する。
【００４４】
このような構造の光学システムが形成する色差は０で、最大球差は−１０．８３である。図２３には色差と球差が形成する曲線図を示し、図２４にはこの光学システムが形成する点列図を示す。
【実施例９】
【００４５】
図２５乃至図２７に示すように、本発明の太陽エネルギー光学採集裝置は主に非球面反射鏡１’、小球面反射鏡２及び光エネルギー收集器３を含む。該球球面反射鏡１’及び該小球面反射鏡２上にはすべて反射膜をコーティングする。該反射膜は太陽光中の有用な部分を該光エネルギー收集器３へと反射し、無用で有害な部分（紫外線波長４００ナノ以下など）はすべて吸収してしまう。該非球面反射鏡１’、該小球面反射鏡２は太陽光光路中に設置し、該小球面反射鏡２は該非球面反射鏡１’前方に設置する。該非球面反射鏡１’中心には該小球面反射鏡２が反射する光線を通過させる通孔１１’を設置し、該非球面反射鏡１’反射面の後方で該通孔１１’に相対する位置には、該光エネルギー收集器３を設置する。こうして光学システムを構成する。
【００４６】
このような構造の光学システムが形成する色差は０で、最大球差は−３．１０である。図２６には色差と球差が形成する曲線図を示し、図２７にはこの光学システムが形成する点列図を示す。
【実施例１０】
【００４７】
図２８乃至図３０に示すように、本発明の太陽エネルギー光学採集裝置は主に球面反射鏡１、小球面反射鏡２、光エネルギー收集器３及び非球面校正レンズ４を含む。該球面反射鏡１及び該小球面反射鏡２上にはすべて反射膜をコーティングする。該反射膜は太陽光中の有用な部分を該光エネルギー收集器３へと反射する。該大、小球面反射鏡１、２は太陽光光路中に設置し、該小球面反射鏡２は該球面反射鏡１前方に設置する。該球面反射鏡１の中心には該小球面反射鏡２が反射する光線を通過させる通孔１１を設置し、該球面反射鏡１反射面の後方で該通孔１１に相対する位置には該光エネルギー收集器３を設置する。こうして光学システムを構成する。光学システム最前方光路中には非球面校正レンズ４を設置し、該非球面校正レンズ４上には透過率増加膜をコーティングする。
【００４８】
このような構造の光学システムが形成する色差は−０．１８で、最大球差は−０．５２である。図２９には色差と球差が形成する曲線図を示し、図３０にはこの光学システムが形成する点列図を示す。
【実施例１１】
【００４９】
図３１乃至図３３に示すように、本発明の太陽エネルギー光学採集裝置は主に非球面反射鏡１’、小球面反射鏡２、光エネルギー收集器３及び非球面校正レンズ４を含む。該非球面反射鏡１’及び該小球面反射鏡２上にはすべて反射膜をコーティングする。該非球面反射鏡１’及び該小球面反射鏡２は太陽光光路中に設置し、該小球面反射鏡２は該非球面反射鏡１’前方に設置する。該非球面反射鏡１’中心には該小球面反射鏡２が反射する光線を通過させる通孔１１’を設置し、該非球面反射鏡１’反射面の後方で該通孔１１’に相対する位置には、光エネルギー收集器を設置する３を設置する。こうして光学システムを構成する。光学システム最前方光路中には非球面校正レンズ４を設置し、該非球面校正レンズ４上には透過率増加膜をコーティングする。
【００５０】
このような構造の光学システムが形成する色差は−０．２２で、最大球差は−０．０３８である。図３２には色差と球差が形成する曲線図を示し、図３３にはこの光学システムが形成する点列図を示す。
【実施例１２】
【００５１】
図３４乃至図３６に示すように、本発明の太陽エネルギー光学採集裝置は主に非球面反射鏡１’、小非球面反射鏡２’、光エネルギー收集器３及び非球面校正レンズ４を含む。該非球面反射鏡１’及び該小非球面反射鏡２’上にはすべて反射膜をコーティングする。該大、小非球面反射鏡１’、２’は太陽光光路中に設置し、該小非球面反射鏡２’は該非球面反射鏡１’前方に設置する。該非球面反射鏡１’中心には該小非球面反射鏡２’が反射する光線を通過させる通孔１１’を設置し、該非球面反射鏡１’反射面の後方で該通孔１１’に相対する位置には、該光エネルギー收集器３を設置する。こうして光学システムを構成する。また、光学システム最前方光路中には非球面校正レンズ４を設置し、該非球面校正レンズ４上には透過率増加膜をコーティングする。
【００５２】
このような構造の光学システムが形成する色差は−０．１２で、最大球差は−０．０２９である。図３５には色差と球差が形成する曲線図を示し、図３６にはこの光学システムが形成する点列図を示す。
【図面の簡単な説明】
【００５３】
【図１】本発明の実施例１の構造指示図（光路図）である。
【図２】本発明の実施例１の色差と球差曲線図である。
【図３】本発明の実施例１の点列図である。
【図４】本発明の実施例２の構造指示図（光路図）である。
【図５】本発明の実施例２の色差と球差曲線図である。
【図６】本発明の実施例２の点列図である。
【図７】本発明の実施例３の構造指示図（光路図）である。
【図８】本発明の実施例３の色差と球差曲線図である。
【図９】本発明の実施例３の点列図である。
【図１０】本発明の実施例４の構造指示図（光路図）である。
【図１１】本発明の実施例４の色差と球差曲線図である。
【図１２】本発明の実施例４の点列図である。
【図１３】本発明の実施例５の構造指示図（光路図）である。
【図１４】本発明の実施例５の色差と球差曲線図である。
【図１５】本発明の実施例５の点列図である。
【図１６】本発明の実施例６の構造指示図（光路図）である。
【図１７】本発明の実施例６の色差と球差曲線図である。
【図１８】本発明の実施例６の点列図である。
【図１９】本発明の実施例７の構造指示図（光路図）である。
【図２０】本発明の実施例７の色差と球差曲線図である。
【図２１】本発明の実施例７の点列図である。
【図２２】本発明の実施例８の構造指示図（光路図）である。
【図２３】本発明の実施例８の色差と球差曲線図である。
【図２４】本発明の実施例８の点列図である。
【図２５】本発明の実施例９の構造指示図（光路図）である。
【図２６】本発明の実施例９の色差と球差曲線図である。
【図２７】本発明の実施例９の点列図である。
【図２８】本発明の実施例１０の構造指示図（光路図）である。
【図２９】本発明の実施例１０の色差と球差曲線図である。
【図３０】本発明の実施例１０の点列図である。
【図３１】本発明の実施例１１の構造指示図（光路図）である。
【図３２】本発明の実施例１１の色差と球差曲線図である。
【図３３】本発明の実施例１１の点列図である。
【図３４】本発明の実施例１２の構造指示図（光路図）である。
【図３５】本発明の実施例１２の色差と球差曲線図である。
【図３６】本発明の実施例１２の点列図である。
【符号の説明】
【００５４】
１      球面反射鏡
１’    非球面反射鏡
１１    通孔
１１’  通孔
２      小球面反射鏡
２’    小非球面反射鏡
３      光エネルギー收集器
４      非球面校正レンズ
５      平面反光板
【図１】
2009522607.tif 000003
【図２】
2009522607.tif 000004
【図３】
2009522607.tif 000005
【図４】
2009522607.tif 000006
【図５】
2009522607.tif 000007
【図６】
2009522607.tif 000008
【図７】
2009522607.tif 000009
【図８】
2009522607.tif 000010
【図９】
2009522607.tif 000011
【図１０】
2009522607.tif 000012
【図１１】
2009522607.tif 000013
【図１２】
2009522607.tif 000014
【図１３】
2009522607.tif 000015
【図１４】
2009522607.tif 000016
【図１５】
2009522607.tif 000017
【図１６】
2009522607.tif 000018
【図１７】
2009522607.tif 000019
【図１８】
2009522607.tif 000020
【図１９】
2009522607.tif 000021
【図２０】
2009522607.tif 000022
【図２１】
2009522607.tif 000023
【図２２】
2009522607.tif 000024
【図２３】
2009522607.tif 000025
【図２４】
2009522607.tif 000026
【図２５】
2009522607.tif 000027
【図２６】
2009522607.tif 000028
【図２７】
2009522607.tif 000029
【図２８】
2009522607.tif 000030
【図２９】
2009522607.tif 000031
【図３０】
2009522607.tif 000032
【図３１】
2009522607.tif 000033
【図３２】
2009522607.tif 000034
【図３３】
2009522607.tif 000035
【図３４】
2009522607.tif 000036
【図３５】
2009522607.tif 000037
【図３６】
2009522607.tif 000038
【国際調査報告】
2009522607.tif 000039
2009522607.tif 000040
2009522607.tif 000041
2009522607.tif 000042
2009522607.tif 000043
2009522607.tif 000044